(57)【要約】  光ハイブリッド（１００）は、外部から受信した受信光信号にローカル光を第１の位相差で干渉させることにより、第１光信号を生成する。また光ハイブリッド（１００）は、受信光信号にローカル光を、第１の位相差からπずれた第２の位相差で干渉させることにより、第２光信号を生成する。２つの光電変換素子（１５０）は、それぞれ第１光信号及び第２光信号を光電変換して、第１電気信号及び第２電気信号を生成する。差動トランスインピーダンスアンプ（２００）は、直流成分補正部（２１０）、トランスインピーダンス回路（２４０）、及び可変利得アンプ（２５０）を備えている。直流成分補正部（２１０）は、第１電気信号の直流成分の大きさと、第２電気信号の直流成分の大きさの差を小さくする。
2013046284.tif 000002
【特許請求の範囲】
【請求項１】
外部から受信した受信光信号とローカル光信号とを第１の位相差で干渉させて第１光信号を生成する第１光信号生成手段と、
前記受信光信号と前記ローカル光信号とを、前記第１の位相差からπずれた第２の位相差で干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分の大きさと、前記第２電気信号の直流成分の大きさの差を小さくする直流成分補正手段と、
前記直流成分補正手段が補正した後の前記第１電気信号及び前記第２電気信号が入力される差動型のトランスインピーダンス回路と、
を備える光信号処理装置。
【請求項２】
請求項１に記載の光信号処理装置において、
前記直流成分補正手段は、
前記第１光電変換素子と前記トランスインピーダンス回路の間に接続される第１トランジスタと、
前記第２光電変換素子と前記トランスインピーダンス回路の間に接続される第２トランジスタと、
前記第１トランジスタを介して第１光電変換素子と前記トランスインピーダンス回路の間に接続されるとともに、前記第２トランジスタを介して第２光電変換素子と前記トランスインピーダンス回路の間に接続される定電流源と、
を備える光信号処理装置。
【請求項３】
請求項２に記載の光信号処理装置において、
前記第１トランジスタの制御電圧及び前記第２トランジスタの制御電圧を制御する制御手段を備え、
前記制御手段は、
前記トランスインピーダンス回路の２つの出力信号に基づいて、前記第１トランジスタの制御電圧及び前記第２トランジスタの制御電圧を制御する光信号処理装置。
【請求項４】
請求項３に記載の光信号処理装置において、
前記制御手段は、前記トランスインピーダンス回路の２つの出力信号それぞれを積分する２つの積分回路と、
前記２つの積分回路それぞれの出力レベルを変換するレベル変換部と、
を備え、
前記レベル変換部の２つの出力が、前記第１トランジスタのゲート電圧及び前記第２トランジスタのゲート電圧として入力される光信号処理装置。
【請求項５】
請求項２〜４のいずれか一項に記載の光信号処理装置において、
前記定電流源は、カレントミラー回路を有している光信号処理装置。
【請求項６】
請求項３又は４に記載の光信号処理装置において、
前記制御手段は、前記カレントミラー回路を制御する光信号処理装置。
【請求項７】
請求項１に記載の光信号処理装置において、
前記直流成分補正手段は、
前記第１光電変換素子と前記トランスインピーダンス回路の間に接続される第１トランジスタと、
前記第２光電変換素子と前記トランスインピーダンス回路の間に接続される第２トランジスタと、
前記第１トランジスタを介して第１光電変換素子と前記トランスインピーダンス回路の間に接続されるとともに、前記第２トランジスタを介して第２光電変換素子と前記トランスインピーダンス回路の間に接続される第３トランジスタと、
前記第１トランジスタの制御電圧及び前記第２トランジスタの制御電圧を制御する制御手段と、
を備える光信号処理装置。
【請求項８】
請求項１〜７のいずれか一項に記載の光信号処理装置において、
前記トランスインピーダンス回路の２つの出力信号をデジタル信号に変換するＡＤ変換手段をさらに備える光信号処理装置。
【請求項９】
請求項１〜８のいずれか一項に記載の光信号処理装置において、
前記直流成分補正手段は、前記第１電気信号及び前記第２電気信号それぞれの直流成分を小さくする光信号処理装置。
【請求項１０】
請求項１〜９のいずれか一項に記載の光信号処理装置において、
前記第１の位相差は０、又はπ／２である光信号処理装置。
【請求項１１】
外部から受信した受信光信号とローカル光信号とを、第１の条件で干渉させることにより第１デジタル信号を生成する第１光信号処理手段と、
前記受信光信号と前記ローカル光信号とを、第２の条件で干渉させることにより第２デジタル信号を生成する第２光信号処理手段と、
前記第１デジタル信号及び前記第２デジタル信号を処理して前記受信光信号に含まれる信号を取り出すデジタル処理手段と、
を備え、
前記第１光信号処理手段は、
前記受信光信号と前記ローカル光信号とを同相で干渉させて第１光信号を生成する第１光信号生成手段と、
前記受信光信号と前記ローカル光信号とを位相差πで干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分及び前記第２電気信号の直流成分の差を小さくする第１直流成分補正手段と、
前記直流成分補正手段が補正した後の前記第１電気信号及び前記第２電気信号が入力される差動型の第１トランスインピーダンスアンプと、
前記第１トランスインピーダンスアンプの出力を前記第１デジタル信号に変換する第１ＡＤ変換手段と、
を有し、
前記第２光信号処理手段は、
前記受信光信号と前記ローカル光信号とを位相差π／２で干渉させて第３光信号を生成する第３光信号生成手段と、
前記受信光信号と前記ローカル光信号とを位相差３π／２で干渉させて第４光信号を生成する第４光信号生成手段と、
前記第３光信号を第３電気信号に変換する第３光電変換素子と、
前記第４光信号を第４電気信号に変換する第４光電変換素子と、
前記第３電気信号の直流成分及び前記第４電気信号の直流成分の差を小さくする第２直流成分補正手段と、
前記直流成分補正手段が補正した後の前記第３電気信号及び前記第４電気信号が入力される差動型の第２トランスインピーダンスアンプと、
前記第２トランスインピーダンスアンプの出力を前記第２デジタル信号に変換する第２ＡＤ変換手段と、
を有する光信号処理信装置。
【請求項１２】
請求項１１に記載の光信号処理装置において、
前記第１直流成分補正手段及び前記第２直流成分補正手段は、いずれも、
前記第１光電変換素子と前記トランスインピーダンス回路の間に接続される第１トランジスタと、
前記第２光電変換素子と前記トランスインピーダンス回路の間に接続される第２トランジスタと、
前記第１トランジスタを介して第１光電変換素子と前記トランスインピーダンス回路の間に接続されるとともに、前記第２トランジスタを介して第２光電変換素子と前記トランスインピーダンス回路の間に接続される定電流源と、
を備える光信号処理装置。
【請求項１３】
請求項１２に記載の光信号処理装置において、
前記第１トランジスタの制御電圧及び前記第２トランジスタの制御電圧を制御する制御手段を備え、
前記制御手段は、
前記トランスインピーダンス回路の２つの出力信号に基づいて、前記第１トランジスタの制御電圧及び前記第２トランジスタの制御電圧を制御する光信号処理装置。
【請求項１４】
請求項１３に記載の光信号処理装置において、
前記制御手段は、前記トランスインピーダンス回路の２つの出力信号それぞれを積分する２つの積分回路と、
前記２つの積分回路それぞれの出力レベルを変換するレベル変換部と、
を備え、
前記レベル変換部の２つの出力が、前記第１トランジスタのゲート電圧及び前記第２トランジスタのゲート電圧として入力される光信号処理装置。
【請求項１５】
請求項１２〜１４のいずれか一項に記載の光信号処理装置において、
前記定電流源は、カレントミラー回路を有している光信号処理装置。
【請求項１６】
請求項１５に記載の光信号処理装置において、
前記カレントミラー回路を制御する第２制御手段を備える光信号処理装置。
【請求項１７】
請求項１１〜１６のいずれか一項に記載の光信号処理装置において、
前記第１直流成分補正手段は、前記第１電気信号及び前記第２電気信号それぞれの直流成分を小さくし、
前記第２直流成分補正手段は、前記第３電気信号及び前記第４電気信号それぞれの直流成分を小さくする光信号処理装置。
【請求項１８】
第１電気信号の直流成分の大きさと、前記第２電気信号の直流成分の大きさの差を小さくする直流成分補正手段と、
前記直流成分補正手段が補正した後の前記第１電気信号及び前記第２電気信号が入力される差動型のトランスインピーダンス回路と、
を有するトランスインピーダンスアンプ。
【請求項１９】
外部から受信した受信光信号と、受信側の光源から出力されたローカル光信号とを、第１の位相差で干渉させて第１光信号を生成し、
前記受信光信号と前記ローカル光信号とを、前記第１の位相差からπずれた第２の位相差で干渉させて第２光信号を生成し、
前記第１光信号を第１電気信号に変換し、
前記第２光信号を第２電気信号に変換し、
前記第１電気信号の直流成分及び前記第２電気信号の直流成分の差を小さくした上で、前記第１電気信号及び前記第２電気信号を差動型のトランスインピーダンス回路に入力する、光信号処理方法。
【請求項２０】
外部から受信した受信光信号とローカル光信号とを第１の位相差で干渉させて第１光信号を生成する第１光信号生成手段と、
前記受信光信号と前記ローカル光信号とを、前記第１の位相差からπずれた第２の位相差で干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分、及び前記第２電気信号の直流成分を小さくする直流成分補正手段と、
前記直流成分補正手段が補正した後の前記第１電気信号及び前記第２電気信号が入力される差動型のトランスインピーダンス回路と、
を備える光信号処理装置。
【請求項２１】
外部から受信した受信光信号とローカル光信号とを、第１の条件で干渉させることにより第１デジタル信号を生成する第１光信号処理手段と、
前記受信光信号と前記ローカル光信号とを、第２の条件で干渉させることにより第２デジタル信号を生成する第２光信号処理手段と、
前記第１デジタル信号及び前記第２デジタル信号を処理して前記受信光信号に含まれる信号を取り出すデジタル処理手段と、
を備え、
前記第１光信号処理手段は、
前記受信光信号と前記ローカル光信号とを同相で干渉させて第１光信号を生成する第１光信号生成手段と、
前記受信光信号と前記ローカル光信号とを位相差πで干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分を小さくするとともに、前記第２電気信号の直流成分を小さくする第１直流成分補正手段と、
前記直流成分補正手段が補正した後の前記第１電気信号及び前記第２電気信号が入力される差動型の第１トランスインピーダンスアンプと、
前記第１トランスインピーダンスアンプの出力を前記第１デジタル信号に変換する第１ＡＤ変換手段と、
を有し、
前記第２光信号処理手段は、
前記受信光信号と前記ローカル光信号とを位相差π／２で干渉させて第３光信号を生成する第３光信号生成手段と、
前記受信光信号と前記ローカル光信号とを位相差３π／２で干渉させて第４光信号を生成する第４光信号生成手段と、
前記第３光信号を第３電気信号に変換する第３光電変換素子と、
前記第４光信号を第４電気信号に変換する第４光電変換素子と、
前記第３電気信号の直流成分を小さくするとともに、前記第４電気信号の直流成分を小さくする第２直流成分補正手段と、
前記直流成分補正手段が補正した後の前記第３電気信号及び前記第４電気信号が入力される差動型の第２トランスインピーダンスアンプと、
前記第２トランスインピーダンスアンプの出力を前記第２デジタル信号に変換する第２ＡＤ変換手段と、
を有する光信号処理装置。
【発明の詳細な説明】
【技術分野】
【０００１】
本発明は、光信号を処理する光信号処理装置、及び光信号処理方法に関する。
【背景技術】
【０００２】
インターネットの普及に伴って、光通信システムの大容量化が進められている。たとえば、幹線系では、１波長当たり、４０Gbit/sを越える速度で信号を伝送するための研究が行われている。１波長当たりビットレートを高くすると、光信号対雑音比（ＯＳＮＲ）耐力の低下、並びに、伝送路の波長分散、偏波モード分散、及び非線形効果などに起因する波形歪みなどにより、信号品質の劣化が大きくなる。【０００３】
このため、近年、ＯＳＮＲ耐力および波形歪み耐力の高いデジタルコヒーレント受信方式が注目されている（例えば特許文献１,２参照）。デジタルコヒーレント受信方式では、受信信号から光強度情報および位相情報が抽出され、デジタル信号処理回路により復調が行われる。デジタルコヒーレント受信方式では、コヒーレント受信によるＯＳＮＲ耐力の改善、およびデジタル信号処理回路による波形歪みの補正が実現されるので、４０Gbit/sを越える速度で信号を伝送しても、高い信頼性が得られる。
【先行技術文献】
【特許文献】
【０００４】
【特許文献１】国際公開第０９／０６９８１４号パンフレット
【特許文献２】特開２０１０−０２８７９５号公報
【発明の概要】
【発明が解決しようとする課題】
【０００５】
デジタルコヒーレントの受信装置においては、フォトダイオードの、光入力に対する同相雑音成分除去比（Common Mode Rejection ratio：CMRR）が、性能を左右する最も重要な要因の１つである。また光信号の受信装置において、ダイナミックレンジを大きくすることも重要である。【０００６】
本発明の目的は、ＣＭＲＲが増加することを抑制できる光信号処理装置及び光信号処理方法を提供することにある。また本発明の他の目的は、ダイナミックレンジを大きくすることができる光信号処理装置を提供することにある。
【課題を解決するための手段】
【０００７】
本発明によれば、外部から受信した受信光信号とローカル光信号とを第１の位相差で干渉させて第１光信号を生成する第１光信号生成手段と、
前記受信光信号と前記ローカル光信号とを、前記第１の位相差からπずれた第２の位相差で干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分の大きさと、前記第２電気信号の直流成分の大きさの差を小さくする直流成分補正手段と、
前記直流成分補正手段が補正した後の前記第１電気信号及び前記第２電気信号が入力される差動型のトランスインピーダンス回路と、
を備える光信号処理装置が提供される。【０００８】
本発明によれば、外部から受信した受信光信号とローカル光信号とを、第１の条件で干渉させることにより第１デジタル信号を生成する第１光信号処理手段と、
前記受信光信号と前記ローカル光信号とを、第２の条件で干渉させることにより第２デジタル信号を生成する第２光信号処理手段と、
前記第１デジタル信号及び前記第２デジタル信号を処理して前記受信光信号に含まれる信号を取り出すデジタル処理手段と、
を備え、
前記第１光信号処理手段は、
前記受信光信号と前記ローカル光信号とを同相で干渉させて第１光信号を生成する第１光信号生成手段と、
前記受信光信号と前記ローカル光信号とを位相差πで干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分及び前記第２電気信号の直流成分の差を小さくする第１直流成分補正手段と、
前記直流成分補正手段が補正した後の前記第１電気信号及び前記第２電気信号が入力される差動型の第１トランスインピーダンスアンプと、
前記第１トランスインピーダンスアンプの出力を前記第１デジタル信号に変換する第１ＡＤ変換手段と、
を有し、
前記第２光信号処理手段は、
前記受信光信号と前記ローカル光信号とを位相差π／２で干渉させて第３光信号を生成する第３光信号生成手段と、
前記受信光信号と前記ローカル光信号とを位相差３π／２で干渉させて第４光信号を生成する第４光信号生成手段と、
前記第３光信号を第３電気信号に変換する第３光電変換素子と、
前記第４光信号を第４電気信号に変換する第４光電変換素子と、
前記第３電気信号の直流成分及び前記第４電気信号の直流成分の差を小さくする第２直流成分補正手段と、
前記直流成分補正手段が補正した後の前記第３電気信号及び前記第４電気信号が入力される差動型の第２トランスインピーダンスアンプと、
前記第２トランスインピーダンスアンプの出力を前記第２デジタル信号に変換する第２ＡＤ変換手段と、
を有する光信号処理装置が提供される。【０００９】
本発明によれば、外部から受信した受信光信号と、受信側の光源から出力されたローカル光信号とを、第１の位相差で干渉させて第１光信号を生成し、
前記受信光信号と前記ローカル光信号とを、前記第１の位相差からπずれた第２の位相差で干渉させて第２光信号を生成し、
前記第１光信号を第１電気信号に変換し、
前記第２光信号を第２電気信号に変換し、
前記第１電気信号の直流成分及び前記第２電気信号の直流成分の差を小さくした上で、前記第１電気信号及び前記第２電気信号を差動型のトランスインピーダンス回路に入力する、光信号処理方法が提供される。【００１０】
本発明によれば、外部から受信した受信光信号とローカル光信号とを第１の位相差で干渉させて第１光信号を生成する第１光信号生成手段と、
前記受信光信号と前記ローカル光信号とを、前記第１の位相差からπずれた第２の位相差で干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分、及び前記第２電気信号の直流成分を小さくする直流成分補正手段と、
前記直流成分補正手段が補正した後の前記第１電気信号及び前記第２電気信号が入力される差動型のトランスインピーダンス回路と、
を備える光信号処理装置が提供される。【００１１】
本発明によれば、第１電気信号の直流成分の大きさと、前記第２電気信号の直流成分の大きさの差を小さくする直流成分補正手段と、
前記直流成分補正手段が補正した後の前記第１電気信号及び前記第２電気信号が入力される差動型のトランスインピーダンス回路と、
を有するトランスインピーダンスアンプが提供される。【００１２】
本発明によれば、外部から受信した受信光信号とローカル光信号とを、第１の条件で干渉させることにより第１デジタル信号を生成する第１光信号処理手段と、
前記受信光信号と前記ローカル光信号とを、第２の条件で干渉させることにより第２デジタル信号を生成する第２光信号処理手段と、
前記第１デジタル信号及び前記第２デジタル信号を処理して前記受信光信号に含まれる信号を取り出すデジタル処理手段と、
を備え、
前記第１光信号処理手段は、
前記受信光信号と前記ローカル光信号とを同相で干渉させて第１光信号を生成する第１光信号生成手段と、
前記受信光信号と前記ローカル光信号とを位相差πで干渉させて第２光信号を生成する第２光信号生成手段と、
前記第１光信号を第１電気信号に変換する第１光電変換素子と、
前記第２光信号を第２電気信号に変換する第２光電変換素子と、
前記第１電気信号の直流成分を小さくするとともに、前記第２電気信号の直流成分を小さくする第１直流成分補正手段と、
前記直流成分補正手段が補正した後の前記第１電気信号及び前記第２電気信号が入力される差動型の第１トランスインピーダンスアンプと、
前記第１トランスインピーダンスアンプの出力を前記第１デジタル信号に変換する第１ＡＤ変換手段と、
を有し、
前記第２光信号処理手段は、
前記受信光信号と前記ローカル光信号とを位相差π／２で干渉させて第３光信号を生成する第３光信号生成手段と、
前記受信光信号と前記ローカル光信号とを位相差３π／２で干渉させて第４光信号を生成する第４光信号生成手段と、
前記第３光信号を第３電気信号に変換する第３光電変換素子と、
前記第４光信号を第４電気信号に変換する第４光電変換素子と、
前記第３電気信号の直流成分を小さくするとともに、前記第４電気信号の直流成分を小さくする第２直流成分補正手段と、
前記直流成分補正手段が補正した後の前記第３電気信号及び前記第４電気信号が入力される差動型の第２トランスインピーダンスアンプと、
前記第２トランスインピーダンスアンプの出力を前記第２デジタル信号に変換する第２ＡＤ変換手段と、
を有する光信号処理装置が提供される。
【発明の効果】
【００１３】
本発明によれば、光信号処理装置のＣＭＲＲが増加することを抑制できる。また本発明によれば、光信号処理装置のダイナミックレンジを大きくすることができる。
【図面の簡単な説明】
【００１４】
上述した目的、およびその他の目的、特徴および利点は、以下に述べる好適な実施の形態、およびそれに付随する以下の図面によってさらに明らかになる。【００１５】
【図１】第１の実施形態に係る光信号処理装置の構成を示すブロック図である。
【図２】直流成分補正部の構成の詳細を示す図である。
【図３】直流成分補正部の第１の効果を説明するための図である。
【図４】直流成分補正部の第１の効果を説明するための図である。
【図５】直流成分補正部の第２の効果を説明するための図である。
【図６】直流成分補正部の第２の効果を説明するための図である。
【図７】ＯＩＦの標準化委員会によって定められた、受信光信号とローカル光の光パワーの関係を示す図である。
【図８】第２の実施形態に係る直流成分補正部の構成を示す図である。
【図９】第３の実施形態に係る直流成分補正部の構成を示す図である。
【図１０】第４の実施形態に係る直流成分補正部の構成を示す図である。
【図１１】第５の実施形態に係る直流成分補正部の構成を示す図である。
【図１２】第６の実施形態に係る直流成分補正部の構成を示す図である。
【図１３】第１の実施形態に係る直流成分補正部の変形例の構成を示す図である。
【図１４】第２の実施形態に係る直流成分補正部の変形例の構成を示す図である。
【図１５】第７の実施形態に係る光信号処理装置の構成を示す図である。
【図１６】第１の実施形態の作用を説明するための図である。
【図１７】第１の実施形態の作用を説明するための図である。
【図１８】第１の実施形態の効果を説明するための図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
（第１の実施形態）
図１は、第１の実施形態に係る光信号処理装置１０の構成を示すブロック図である。光信号処理装置１０は、例えばデジタルコヒーレント方式で光信号を受信する装置である。光信号処理装置１０は、光ハイブリッド１００、４つの光電変換素子１５０、差動トランスインピーダンスアンプ２００，２０２、２つのＡＤ変換部３００、及びデジタル信号処理部４００を備えている。
【００１８】
外部から受信した受信光信号は、光信号処理装置１０に入力される前に、偏光ビームスプリッタにより、Ｘ偏波及びＹ偏波に分離される。光信号処理装置１０には、Ｘ偏波及びＹ偏波の一方が入力される。光信号処理装置１０は、入力された受信光信号のＸ偏波又はＹ偏波を、同相ベースバンド信号（Ｉ）用の光信号及び直交ベースバンド信号（Ｑ）用の光信号に分離する。同相ベースバンド信号（Ｉ）用の光信号及び直交ベースバンド信号（Ｑ）用の光信号は、いずれも偏光しており、その偏波の方向が互いに直交している。差動トランスインピーダンスアンプ２００，２０２、及びＡＤ変換部３００は、同相ベースバンド信号（Ｉ）用の光信号及び直交ベースバンド信号（Ｑ）用の光信号をコヒーレント検波（例えば、ホモダイン検波もしくはヘテロダイン検波）して、同相ベースバンド信号（Ｉ）及び直交ベースバンド信号（Ｑ）に変換する。デジタル信号処理部４００は、同相ベースバンド信号及び直交ベースバンド信号から、送信された多値変調光信号を再生し、この多値変調光信号の復調処理を行う。
【００１９】
光ハイブリッド１００は、外部から受信した受信光信号のＸ偏波（又はＹ偏波）にローカル光を第１の位相差で干渉させることにより、第１光信号を生成する。また光ハイブリッド１００は、受信光信号のＸ偏波（又はＹ偏波）にローカル光を、第１の位相差からπずれた第２の位相差で干渉させることにより、第２光信号を生成する。
【００２０】
詳細には、光ハイブリッド１００は、光ミキサ１１２（第１光信号生成部），１１４（第２光信号生成部），１２２（第３光信号生成部），１２４（第４光信号生成部）、及び光位相器１１６，１２６，１２８を有している。受信光信号のＸ偏波（又はＹ偏波）は、光ミキサ１１２，１１４，１２２，１２４それぞれに入力される。光ミキサ１１２には、ローカル光が、いずれの位相器も介さずに入力される。光ミキサ１１４には、ローカル光が、光位相器１１６を介して入力される。光位相器１１６は、ローカル光の位相をπずらす。光ミキサ１２２には、ローカル光が、光位相器１２６を介して入力される。光位相器１２６は、ローカル光の位相を、光位相器１１６と同一方向にπ／２ずらす。光ミキサ１２４には、ローカル光が、光位相器１２６及び光位相器１２６を介して入力される。光位相器１２８は、ローカル光の位相を、光位相器１２６と同一方向にπずらす。
【００２１】
そして光ミキサ１１２は、受信光信号のＸ偏波（又はＹ偏波）とローカル光とを同相で干渉させて第１光信号を生成し、光ミキサ１１４は、受信光信号のＸ偏波（又はＹ偏波）とローカル光とを位相差πで干渉させて第２光信号を生成する。光ミキサ１２２は、受信光信号のＸ偏波（又はＹ偏波）とローカル光とを位相差π／２で干渉させて第３光信号を生成し、光ミキサ１２４は、受信光信号のＸ偏波（又はＹ偏波）とローカル光とを位相差３π／２で干渉させて第４光信号を生成する。第１光信号及び第２光信号は、一組の信号を形成し、また第３光信号及び第４光信号も、一組の信号を形成する。
【００２２】
４つの光電変換素子１５０は、それぞれ第１光信号、第２光信号、第３光信号、及び第４光信号を光電変換して、第１電気信号、第２電気信号、第３電気信号、及び第４電気信号を生成する。光電変換素子１５０は、例えばフォトダイオードである。第１電気信号及び第２電気信号は、差動トランスインピーダンスアンプ２００に入力され、第３電気信号及び第４電気信号は、差動トランスインピーダンスアンプ２０２に入力される。
【００２３】
差動トランスインピーダンスアンプ２００は、直流成分補正部２１０、トランスインピーダンス回路２４０、及び可変利得アンプ２５０を備えている。直流成分補正部２１０は、第１電気信号の直流成分の大きさと、第２電気信号の直流成分の大きさの差を小さくする。直流成分補正部２１０の構成の詳細は、後述する。トランスインピーダンス回路２４０は、直流成分補正部２１０によって直流成分が補正された後の第１電気信号及び第２電気信号が入力される。可変利得アンプ２５０は、トランスインピーダンス回路２４０の出力の大きさを増幅し、ＡＤ変換部３００に出力する。
【００２４】
なお、差動トランスインピーダンスアンプ２０２も、直流成分補正部２１０、トランスインピーダンス回路２４０、及び可変利得アンプ２５０を備えている。差動トランスインピーダンスアンプ２０２は、第１電気信号の代わりに第３電気信号が入力され、第２電気信号の代わりに第４電気信号が入力される点を除いて、差動トランスインピーダンスアンプ２００と同様の機能を有している。
【００２５】
ＡＤ変換部３００は、差動トランスインピーダンスアンプ２００から出力される２つのアナログ信号をデジタル信号に変換する。このデジタル信号は、同相ベースバンド信号である。
【００２６】
ＡＤ変換部３０２は、差動トランスインピーダンスアンプ２０２から出力される２つのアナログ信号をデジタル信号に変換する。このデジタル信号は、直交ベースバンド信号である。
【００２７】
なお、２つの光電変換素子１５０の光電流をＩ１、Ｉ２とすると、同相雑音成分除去比（Common Mode Rejection ratio：ＣＭＲＲ）は、以下の（１）式で示される。
【００２８】
2013046284.tif 000003
・・・（１）
【００２９】
ここで、ＣＭＲＲがデジタルコヒーレント方式の信号処理の精度に影響を与える理由について、四位相偏移変調（ＱＰＳＫ）光信号を例に挙げて、説明する。上記したように、第１入力部１０２に入力される受信光信号は、光ハイブリッド１００において、第１光信号、第２光信号、第３光信号、及び第４光信号に変換される。第１入力部１０２に入力される受信光信号は、以下の（２）式で表され、ローカル光は、以下の（３）式で表される。
【００３０】
2013046284.tif 000004
・・・（２）
2013046284.tif 000005
・・・（３）
【００３１】
なお、ω１はそれぞれ受信光信号の周波数であり、ωはローカル光の周波数である。φは位相である。ＱＰＳＫの場合、第１光信号の生成においてはφ＝０であり、第２光信号の生成においてはφ＝πであり、第３光信号の生成においてはφ＝π／２であり、第４光信号の生成においてはφ＝３π／２である。
【００３２】
ここでω１＝ωであるため、第１光信号は以下の（４）式で表され、第２光信号は以下の（５）式で表され、第３光信号は以下の（６）式で表され、第４光信号は以下の（７）式で表される。
【００３３】
2013046284.tif 000006
・・・（４）
2013046284.tif 000007
・・・（５）
2013046284.tif 000008
・・・（６）
2013046284.tif 000009
・・・（７）
【００３４】
ａ、ｂ、ｃ、ｄは光電変換素子１５０の量子効率や光ハイブリッド１００の損失に起因する係数である。そして、式（４）〜（７）それぞれにおいて、第１項と第２項はＤＣ成分（オフセット成分）であり、第３項は信号の位相情報である。
【００３５】
そして、差動トランスインピーダンスアンプ２００のトランスインピーダンス回路２４０出力は、以下の（８）式及び（９）式で表される。また差動トランスインピーダンスアンプ２０２のトランスインピーダンス回路２４０出力は、以下の（１０）式及び（１１）式で表される。
【００３６】
2013046284.tif 000010
2013046284.tif 000011
2013046284.tif 000012
2013046284.tif 000013
【００３７】
（８）と（９）の差動信号は、差動トランスインピーダンスアンプ２００の可変利得アンプ２５０に入力される。また（１０）と（１１）の差動信号は、差動トランスインピーダンスアンプ２００の可変利得アンプ２５０へ入力される。
【００３８】
ここで、ローカル光の光強度Ｂ２は受信光信号の強度Ａ２の１０倍以上であるため、（８）〜（１１）においては、Ｂ２が支配的になる。そのため、（８）及び（９）の係数ａ，ｂの間に差が生じると、差動トランスインピーダンスアンプ２００のトランスインピーダンス回路２４０の出力信号のＤＣレベルが大きく変化する。また、（１０）及び（１１）の係数ｃ，ｄの間に差が生じると、差動トランスインピーダンスアンプ２０２のトランスインピーダンス回路２４０の出力信号のＤＣレベルが大きく変化する。このため、ＣＭＲＲが不足すると、可変利得アンプ２５０やデジタル信号処理部４００による波形歪等化の精度が低くなってしまう。
【００３９】
これに対して本実施形態では、直流成分補正部２１０が、第１電気信号の直流成分の大きさと第２電気信号の直流成分の大きさの差（又は第３電気信号の直流成分の大きさと第４電気信号の直流成分の大きさの差）を小さくする。従って、ＣＭＲＲが増加することを抑制して、光信号処理装置１０による信号処理の精度が低下することを抑制できる。
【００４０】
図２は、差動トランスインピーダンスアンプ２００における直流成分補正部２１０の構成の詳細を、光ハイブリッド１００、及びトランスインピーダンス回路２４０とともに示す図である。なお本図において、光ハイブリッド１００は、図１と比較して簡略化されている。
【００４１】
直流成分補正部２１０は、第１トランジスタ２２２、第２トランジスタ２２４、及び定電流源２３０を備えている。本図に示す例において、第１トランジスタ２２２及び第２トランジスタ２２４はバイポーラトランジスタであるが、ＭＯＳトランジスタなどの電界効果トランジスタであっても良い。第１トランジスタ２２２及び第２トランジスタ２２４は、差動回路２２０を構成している。
【００４２】
第１トランジスタ２２２は、コレクタ（電界効果トランジスタの場合はドレイン）が、第１電気信号を直流成分補正部２１０に入力する配線に接続しており、エミッタ（電界効果トランジスタの場合はソース）が定電流源２３０の入力側に接続している。第２トランジスタ２２４は、コレクタが、第２電気信号を直流成分補正部２１０に入力する配線に接続しており、エミッタが定電流源２３０の入力側に接続している。定電流源２３０の出力側は、例えば抵抗（図示せず）を介して接地されている。なお、上記した接続の例は、第１トランジスタ２２２及び第２トランジスタ２２４がＮＰＮ型のバイポーラトランジスタの場合を示している。ただし、第１トランジスタ２２２及び第２トランジスタ２２４は、ＰＮＰ型のバイポーラトランジスタであってもよい。この場合、適宜設計を変更することにより、上記した例と同様の効果が得られる。
【００４３】
なお、差動トランスインピーダンスアンプ２０２の直流成分補正部２１０も、第１トランジスタ２２２のコレクタに第３電気信号が入力され、第２トランジスタ２２４のコレクタに第４電気信号が入力される点を除いて、差動トランスインピーダンスアンプ２００の直流成分補正部２１０と同様の構成を有している。
【００４４】
また、トランスインピーダンス回路２４０は、差動アンプと、２つのエミッタフォロワ回路と、２つの帰還抵抗を有している。
【００４５】
次に、直流成分補正部２１０の動作を、図１６を用いて説明する。
【００４６】
第１電気信号の直流成分ＩＰＤ１と第２電気信号の直流成分ＩＰＤ２が等しい場合、第１トランジスタ２２２への入力制御電圧（ベース）Ｖ１と第２トランジスタ２２４への入力制御電圧（ベース）Ｖ２とを、制御部２２８を用いて同電位に設定する。これにより、第１トランジスタ２２２を流れる電流Ｉｃ１と、第２トランジスタ２２４を流れる電流Ｉｃ２は等しくなる。この場合、トランスインピーダンス回路２４０に入力される第１電気信号の直流成分（ＩＰＤ１−Iｃ１）と第２電気信号の直流成分（ＩＰＤ２−Iｃ２）は等しくなる。
【００４７】
一方、第１電気信号の直流成分ＩＰＤ１と第２電気信号の直流成分ＩＰＤ２が異なる場合（例えばＩＰＤ１＞ＩＰＤ２）、制御部２２８を用いて、第１トランジスタ２２２への入力制御電圧（ベース）Ｖ１を第２トランジスタ２２４への入力制御電圧（ベース）Ｖ２よりも大きく設定する。これにより、第１トランジスタ２２２を流れる電流Ｉｃ１は、第２トランジスタ２２４を流れる電流Ｉｃ２よりも大きくなる（ＩＣ１＞ＩＣ２）。これにより、トランスインピーダンス回路２４０に入力される第１電気信号の直流成分（ＩＰＤ１−Iｃ１）と第２電気信号の直流成（ＩＰＤ２−Iｃ２）の差は小さくなる。
【００４８】
なお、本実施形態において、図１３に示すように制御部２２８を有していても良い。制御部２２８は、トランスインピーダンス回路２４０の２つの出力信号（差動信号）の電位に基づいて、第１トランジスタ２２２の入力制御電圧及び第２トランジスタ２２４の入力制御電圧を制御する。具体的には、制御部２２８は、トランスインピーダンス回路２４０の第１の出力（Ｐ信号）の電位に基づいて第１トランジスタ２２２の制御電圧を制御し、トランスインピーダンス回路２４０の第２の出力（Ｎ信号）の電位に基づいて第２トランジスタ２２４の制御電圧を制御する。
【００４９】
ただし、本実施形態に係る直流成分補正部２１０の動作は、トランスインピーダンス回路２４０の出力からのフードバック制御のみに限定されない。第１トランジスタ２２２及び第２トランジスタ２２４は、他の検出方法による検出値や外部からの入力に従って、制御部２２８を通して、動作してもよい。ただし、この場合においても、制御部２２８による制御の詳細は、図１６を用いて説明したとおりである。
【００５０】
図３は、受信光信号が３１．７８９１１Gb/sのＱＰＳＫ方式の場合における、トランスインピーダンス回路２４０の復調後の出力信号の波形の一例を示す。図４は、直流成分補正部２１０がない場合におけるトランスインピーダンス回路２４０の出力波形の一例を示す。これらを比較すると、直流成分補正部２１０を設けることにより、電流差が補正されること、及び、これに伴ってトランスインピーダンス回路２４０の出力波形が良好になることが分かる。
【００５１】
また、図５に示すように、電気信号の直流成分が大きいと、その電気信号のトランスインピーダンス回路２４０に大きな入力ダイナミックレンジが必要になってしまう。これに対して本実施形態によれば、図６に示すように、第１トランジスタ２２２及び第２トランジスタ２２４を制御することにより、第１電気信号及び第２電気信号それぞれの直流成分を小さくすること（直流成分補正部２１０の構成によっては０も可能である）ができる。これにより、トランスインピーダンス回路２４０に要求される入力ダイナミックレンジを、小さくすることができる。
【００５２】
この効果を、図１８を用いて詳細に説明する。図１８は、受信光信号が−１２ｄＢｍで、ローカル光信号が１２ｄＢｍの場合における、光電変換素子１５０の出力の電流信号を示す。この電流信号において、変調信号が０．４ｍＡｐｐである。一方、直流成分は、１．８ｍＡと、変調信号に対して大きい。このような電流信号をトランスインピーダンス回路２４０に入力しても、トランスインピーダンス回路２４０のリニアリティを維持することは極めて難しく、その結果、復調される信号に歪が生じてしまう。
【００５３】
これに対して本実施形態によれば、図１８における直流成分を小さくして、直流成分に対する変調信号の比を大きくすることができる。従って、トランスインピーダンス回路２４０のリニアリティを維持することができる。これらの効果を表すために、図１７に、第１トランジスタ２２２及び第２トランジスタ２２４に流れる電流Ｉｃ１とＩｃ２の関係を示す。Ｉｃ１とＩｃ２差でＩＰＤ１とＩＰＤ２のＤＣ電流の差を補償し、Ｉｃ１とＩｃ２の同じ電流値でＰＤの過剰なＤＣ電流を抑制する。
【００５４】
図７は、ＯＩＦ（Ｏｐｔｉｃａｌ  Internetwoking Ｆｏｒｕｍ）の標準化委員会によって定められた、受信光信号とローカル光の光パワーの関係を示す。受信光信号に対して、ローカル光の光パワーが１０倍以上に大きいことが分る。コヒーレント受信器には高いリニアリティが必要であるために、差動トランスインピーダンスアンプには、広い入力ダイナミックレンジが要求される。本実施形態では、上記したようにトランスインピーダンス回路２４０に要求されるダイナミックレンジを、小さくすることができる。
【００５５】
（第２の実施形態）
図８は、第２の実施形態に係る光信号処理装置１０に用いられる直流成分補正部２１０の構成を示す図である。本実施形態に係る光信号処理装置１０は、直流成分補正部２１０の定電流源２３０が、カレントミラー回路である点を除いて、図２に示した第１の実施形態に係る直流成分補正部２１０と同様の構成である。
【００５６】
このカレントミラー回路は、トランジスタ２３２，２３４を備えている。トランジスタ２３２，２３４は、例えばバイポーラトランジスタであるが、電界効果型トランジスタであっても良い。トランジスタ２３４は、ベースがコレクタに接続している。そしてトランジスタ２３２のコレクタは、第１トランジスタ２２２及び第２トランジスタ２２４のエミッタに接続しており、トランジスタ２３４のコレクタは外部に接続している。
【００５７】
本実施形態によっても、第１の実施形態と同様の効果を得ることができる。また本実施形態では、カレントミラー回路のトランジスタ２３４のコレクタへの入力を制御することにより、第１電気信号及び第２電気信号の直流成分を小さくすることができる。従って、トランスインピーダンス回路２４０に要求されるダイナミックレンジの大きさを、特に小さくすることができる。
【００５８】
なお、本実施形態においても、図に示すように、制御部２２８を有していても良い。ただし、直流成分補正部２１０では、第１の実施形態に係る直流成分補正部２１０と同様に、トランスインピーダンス回路２４０の出力からのフィードバック制御のみではなく、他の検出方法や外部から制御部２２８を通して、第１トランジスタ２２２及び第２トランジスタ２２４が動作してもよい。この制御の詳細は、図１６及び図１７を用いて説明したとおりである。
【００５９】
（第３の実施形態）
図９は、第３の実施形態に係る光信号処理装置１０の制御部２２８の構成を、直流成分補正部２１０の他の構成及びトランスインピーダンス回路２４０とともに示す図である。本実施形態に係る光信号処理装置１０は、制御部２２８の構成を除いて第２の実施形態に係る光信号処理装置１０と同様の構成である。
【００６０】
本実施形態に係る制御部２２８は、積分部２７０及びレベル変換部２８０を備えている。積分部２７０は、２つの積分回路を有している。これら２つの積分回路は、トランスインピーダンス回路２４０の２つの出力信号それぞれを積分し、それぞれの出力信号の電位を検出する。レベル変換部２８０は、２つの積分回路それぞれの出力レベルを変換する。レベル変換部２８０の２つの出力は、それぞれ第１トランジスタ２２２のコレクタ及び第２トランジスタ２２４のコレクタに入力される。
【００６１】
本実施形態に係る光信号処理装置１０の効果を説明する。第１電気信号の直流成分ＩＰＤ１と第２電気信号の直流成分ＩＰＤ２が等しい場合（ＩＰＤ１＝ＩＰＤ２）には、トランスインピーダンス回路２４０の出力ＯＵＴＰ、ＯＵＴＮには、レベルが同一な正補信号が出力される。そのため、レベル変換回路２８０を通して、第１トランジスタ２２２への入力制御電圧（ベース）と第２トランジスタ２２４への入力制御電圧（ベース）が同電位に設定される。これにより、第１トランジスタ２２２を流れる電流Ｉｃ１と、第２トランジスタ２２４を流れる電流Ｉｃ２は等しくなる。この場合、トランスインピーダンス回路２４０に入力される第１電気信号の直流成分（ＩＰＤ１−Ｉｃ１）と第２電気信号の直流成分（ＩＰＤ２−Ｉｃ２）は等しくなる。
【００６２】
さらにカレントミラー回路２３０の電圧端子ＶＣＭを調整することによって、トランスインピーダンス回路１１に入力される第１電気信号およびの第２電気信号の直流成分を０まで低減できる。このようにすると、トランスインピーダンス回路２４０の入力ダイナミックレンジを十分確保できる。
【００６３】
一方、第１電気信号の直流成分ＩＰＤ１と第２電気信号の直流成分ＩＰＤ２に差が生じた場合（例えば、ＩＰＤ１＞ＩＰＤ２）、通常では、トランスインピーダンス回路２４０の出力ＯＵＴＰ、ＯＵＴＮには、レベルが異なる正補信号が出力される。これは、積分回路２０で検出される。
【００６４】
積分回路２７０で検出されたレベルの差は、レベル変換回路２８０を通して適切な電圧範囲に変換される。変換後のレベル差によって、第１トランジスタ２２２への入力制御電圧（ベース）と第２トランジスタ２２４への入力制御電圧（ベース）が、それぞれ適切な値に設定される。第１トランジスタ２２２に流れる電流Ｉｃ１と第２トランジスタ２２４に流れる電流Ｉｃ２は、Ｉｃ１＞Ｉｃ２となる。上記した動作は、トランスインピーダンス回路２４０の出力ＯＵＴＰ、ＯＵＴＮのレベルが同一になるまで繰り返される。その結果、自動的に、トランスインピーダンス回路２４０には、第１電気信号の直流成分（ＩＰＤ１−Ｉｃ１）と第２電気信号の直流成分（ＩＰＤ２−Ｉｃ２）が同じ信号が入力される。
【００６５】
本実施形態によっても、第２の実施形態と同様の効果を得ることができる。
【００６６】
（第４の実施形態）
図１０は、第４の実施形態に係る光信号処理装置１０の差動トランスインピーダンスアンプ２００の構成を示す図である。本実施形態に係る差動トランスインピーダンスアンプ２００は、直流成分補正部２１０の定電流源２３０が第３トランジスタ２９０である点を除いて、第３の実施形態に係る光信号処理装置１０と同様の構成である。なお、本実施形態及び他の実施形態のすべてにおいて、バイポーラトランジスタを電界効果トランジスタに置き換えることもできる。
【００６７】
なお、図１に示した差動トランスインピーダンスアンプ２０２も差動トランスインピーダンスアンプ２００と同様の構成を有している。
本実施形態によっても、第３の実施形態と同様の効果を得ることができる。
【００６８】
（第５の実施形態）
図１１は、第５の実施形態に係る光信号処理装置１０の直流成分補正部２１０の構成を、トランスインピーダンス回路２４０とともに示す図である。本実施形態に係る光信号処理装置１０は、差動トランスインピーダンスアンプ２００が制御部２２８を有していない点、及び、直流成分補正部２１０の構成を除いて、第１の実施形態に係る光信号処理装置１０と同様の構成である。
【００６９】
直流成分補正部２１０は、第１トランジスタ２２２、第２トランジスタ２２４、及び第４トランジスタ２２６を有している。本実施形態において第１トランジスタ２２２のベース及び第２トランジスタ２２４のベースは、制御部２２８から同一の信号が入力される。また第４トランジスタ２２６は、ベース及びコレクタが、第２トランジスタ２２４のベースに接続している。そして第１トランジスタ２２２、第２トランジスタ２２４、及び第４トランジスタ２２６は、いずれもエミッタが、例えば抵抗（図示せず）を介して接地されている。
【００７０】
本実施形態によれば、第１トランジスタ２２２のベース、第２トランジスタ２２４のベース、及び第４トランジスタ２２６のコレクタへの入力を制御することにより、トランスインピーダンス回路２４０に入力される第１電気信号及び第２電気信号それぞれの直流成分を小さくすることができる。これにより、トランスインピーダンス回路２４０に要求されるダイナミックレンジを小さくすることができる。
（第６の実施形態）
図１２は、第６の実施形態に係る光信号処理装置１０の直流成分補正部２１０の構成を、トランスインピーダンス回路２４０とともに示す図である。本実施形態に係る光信号処理装置１０は、差動トランスインピーダンスアンプ２００が制御部２２８を有していない点、及び、直流成分補正部２１０が第４トランジスタ２２６を有していない点を除いて、第５の実施形態に係る光信号処理装置１０と同様の構成である。
本実施形態によっても、第５の実施形態と同様の効果を得ることができる。
【００７１】
（第７の実施形態）
図１５は、第７の実施形態に係る光信号処理装置の構成を示す図である。本実施形態に係る光信号処理ユニットは、デジタルコヒーレント方式で光信号を受信する光信号処理ユニットである。この光信号処理ユニットは、光信号処理装置１２、電気信号処理装置２０、及びローカル光源５００を有している。
【００７２】
光信号処理装置１２は、２つの信号処理部１４を有している。信号処理部１４は、いずれも光ハイブリッド１００、４つの光電変換素子１５０、及び差動トランスインピーダンスアンプ２００，２０２を有している。信号処理部１４の光ハイブリッド１００、４つの光電変換素子１５０、及び差動トランスインピーダンスアンプ２００，２０２は、第１〜６の実施形態に示した光ハイブリッド１００、４つの光電変換素子１５０、及び差動トランスインピーダンスアンプ２００，２０２と同様の構成である。
【００７３】
光信号処理装置１２の第１入力部１０２に入力された受信信号光は、偏光ビームスプリッタ６００によってＸ偏波及びＹ偏波に分離される。Ｘ偏波及びＹ偏波は、互いに異なる信号処理部１４に入力される。
【００７４】
光信号処理装置１２の第２入力部１０４には、ローカル光源５００が接続されている。ローカル光源５００は、第２入力部１０４にローカル光を入力する。１４０に入力されたローカル光は、ビームスプリッタ６０２によって２つの光に分離される。この２つの光は、互いに異なる信号処理部１４に入力される。
【００７５】
電気信号処理装置２０は、２つのＡＤ変換群３０４及びデジタル信号処理部４００を有している。ＡＤ変換群３０４は、いずれもＡＤ変換部３００，３０２を有している。第１のＡＤ変換群３０４は、光信号処理装置１２が有する第１の信号処理部１４から信号が入力され、第２のＡＤ変換群３０４は、光信号処理装置１２が有する第２の信号処理部１４から信号が入力される。デジタル信号処理部４００は、２つのＡＤ変換群３０４からの出力を処理して、復調信号を生成する。
【００７６】
本実施形態によっても、第１〜６の実施形態と同様の効果を得ることができる。
【００７７】
以上、図面を参照して本発明の実施形態について述べたが、これらは本発明の例示であり、上記以外の様々な構成を採用することもできる。
【００７８】
この出願は、２０１１年９月２６日に出願された日本出願特願２０１１−２０８７１４号を基礎とする優先権を主張し、その開示の全てをここに取り込む。
【図１】
2013046284.tif 000014
【図２】
2013046284.tif 000015
【図３】
2013046284.tif 000016
【図４】
2013046284.tif 000017
【図５】
2013046284.tif 000018
【図６】
2013046284.tif 000019
【図７】
2013046284.tif 000020
【図８】
2013046284.tif 000021
【図９】
2013046284.tif 000022
【図１０】
2013046284.tif 000023
【図１１】
2013046284.tif 000024
【図１２】
2013046284.tif 000025
【図１３】
2013046284.tif 000026
【図１４】
2013046284.tif 000027
【図１５】
2013046284.tif 000028
【図１６】
2013046284.tif 000029
【図１７】
2013046284.tif 000030
【図１８】
2013046284.tif 000031
【国際調査報告】
2013046284.tif 000032
2013046284.tif 000033
2013046284.tif 000034
2013046284.tif 000035